(57)【要約】【課題】  処理物気化室を二重化して長さを短くし、気化室に流動状態となった砂を加熱し撹拌循環させる構造をとることにより、熱伝導率、気化効率を良くして処理時間を短縮し、処理対象物の減容、減量化が図られるとともに、装置の長さを従来の半分程度にすることにより設置場所が小さくなり製作費も少なくて済む、回転式汚水気化装置を提供することを目的とする。【解決手段】  処理対象物が投入される投入フィーダ１設ける。この投入フィーダ１に連通され第１の処理物気化室４が形成された内筒３を設ける。内筒３の外側に所定の間隔を有して外筒５を設ける。外筒３と内筒５との間に前記第１の処理物気化室に連通され、且つ、第１の処理物気化室４に重なるように第２の処理物気化室６を設ける。第１の処理物気化室４および第２の処理物気化室６に、砂等の流動用の媒体を撹拌、拡散、循環する装置を設ける。第１の処理物気化室４および第２の処理物気化室６に気化用の熱を供給する、バーナ１０を設ける。バーナ１０と第１の処理物気化室４および第２の処理物気化室６との間に、排ガス燃焼室１３を設ける。【選択図】    図１
2005125294.tif 000002
【特許請求の範囲】
【請求項１】
処理対象物が投入される挿入フィーダと、この投入フィーダに連通され第１の処理物気化室が形成された内筒と、この内筒の外側に所定の間隔を有して設けられた外筒と、この外筒と前記内筒との間に前記第１の処理物気化室に連通され、且つ、第１の処理物気化室と重なるように形成された第２の処理物気化室に気化用の熱を均等に供給するバーナと、内筒内と外筒内に砂を筒内前後に帯状に敷きつめた流動床と、前記第２の処理物気化室の後段気化残留物排出装置とを設けたことを特徴とする回転式汚水気化装置。
【請求項２】
第１の処理物気化室又は第２の処理物気化室に設けられた排ガス排出口とこの排ガス排出口から排出された排ガスを燃焼させる排ガス燃焼室１３を第１処理物気化室又は第２処理物気化室と気化室に熱を供給するバーナ１０の間に燃焼装置を設けたことを特徴とする。
【発明の詳細な説明】
【技術分野】
【０００１】  本発明は、液状の汚泥、液状の食品残渣、液状の農業用残渣、液状の畜産糞尿、液状の有機物等の処理対象物を気化又は炭化処理する回転式汚水気化装置に関する。
【背景技術】
【０００２】  従来、液状気化装置は図２に示されるように、処理対象物の気化処理時間を長くして気化をより促進させるために筒体ａを長く形成し、この長く形成した筒体ａの内部に処理物気化室ｂを形成し、この処理物気化室ｂの投入口ｃから液状の汚泥、液状の食品残渣、液状の農業用残渣、液状の有機物等の処理対象物を拡散投入して、乾燥・固形化された気化残留物として処理し、排出口ｅから排出させる一方通行方式の回転式汚水気化装置が一般的であった。
【発明の開示】
【発明が解決しようとする課題】
【０００３】  しかし、従来の回転式汚水気化装置は、長さが長くなるほど、先に行くにしたがい熱伝導率が悪くなり熱効率が悪く処理対象物の減容、減量化が図られないのが現状であり又、ある程度投入する処理物を破砕し細かくする必要があるため、破砕機等の前処理設備が必要となる場合が多い。そのうえ、処理物気化室の長さが長いため、回転式汚水気化装置の処理時間が長くなるとともに、設置場所を多く必要としたり製作費高くなる等の問題がある。【０００４】  本発明は、このような点に鑑みなされたもので、処理物気化室を二重化して長さを短くすることにより熱効率を良くして処理時間を短縮し、また、内筒、外筒を加熱された砂が循環する流動床の筒にすることにより、流動状態になった砂が加熱、撹拌され電熱効果の増大、熱分布の均一等により、安定した処理対象物の減容、減量化が図られるとともに装置の長さが従来の半分程度になり、設置場所が小さく、また移動が容易となり、そのうえ、製作費も少なくて済む回転式汚水気化装置を提供することを目的とする。
【課題を解決するための手段】
【０００５】  請求項１記載の回転式汚水気化装置は、処理対象物が投入される投入フィーダと、この投入フィーダに連通され第１の処理物気化室４が形成された内筒と、この内筒の外側に所定の間隔を有して設けられた外筒と、この外筒と前記内筒との間に前記第１の処理物気化室４に連通され、且つ、第１の処理物気化室４に重なるように形成された第２の処理物気化室６と、筒内部に砂等の流動用の媒体を撹拌、循環する装置と、前記第１の処理物気化室４および第２の処理物気化室６に気化用の熱を供給するバーナと、前記第２の処理物気化室６の後段に気化残留物選別装置７、気化残留物搬送装置８、気化残留物排出口９を設けたものである。【０００６】  そして、この構成によれば、熱伝導率が良くなり気化効率をよくして、処理時間を短縮し、処理対象物の減容、減量化が図られるとともに、前処理機を必要としないので処理物の範囲が広がり、また、装置の長さを従来の半分程度に出来るため設置場所が少なくなり製作費が少なくて済む。【０００７】  第１、第２の処理物気化室の端に設けられた排ガス排出口とこの排ガスを燃焼させる燃焼室を内外筒の一方に設けられた気化熱源たるバーナの中間に設けたものである。【０００８】  そして、この構成によれば、従来方式の排ガス二次燃焼室を別個に設ける必要はなく、気化熱源バーナを利用して排ガスを燃焼させることができ、単一熱源でダイオキシンをなくして大気汚染を防止できる。
【発明の効果】
【０００９】  請求項１記載の回転式汚水気化装置によれば、熱伝導率が良くなり気化効率を良くして処理時間を短縮し、処理対象物の減容、減量化が図られるとともに、装置を従来の半分程度にできるため設置場所が小さくなり製作費も少なくて済む。【００１０】  請求項２記載の燃焼装置によれば、低燃費でダイオキシンをなくして大気汚染を防止できる。
【発明を実施するための最良の形態】
【００１１】  以下、本発明の一実施の形態を図面を参照して説明する。
【実施例１】
【００１２】    図１において、１は投入フィーダで、この投入フィーダ１に液状の汚泥、液状の食品残渣、液状の農業用残渣、液状の畜産糞尿、その他の液状の有機物等の処理対象物が直接固液未分離の状態で投入される。また、投入フィーダ１内にはスクリュー等から成る第１の搬送手段２が設けられる。３は内筒で、この内筒３内には図示しない搬送手段を有した第１の処理物気化室４が設けられている。５は外筒で内筒３の外側に設けられ内筒３との間に第２の処理物気化室６が第１の処理物気化室４と二重になるように配置されている。そして、この第２の処理物気化室６は内筒３の一端側で第１の処理物気化室４に迂回される形で連通されている。また、内筒３と外筒５の底部は敷設され加熱された砂が筒の回転により第１の処理物気化室４から第２の処理物気化室６、第２の処理物気化室６から第１の処理物気化室４へと砂が循環する構造となっている。
【実施例２】
【００１３】  ７は気化残留物選別装置で、この気化残留物選別装置７は熱効率促進の為の砂と処理物を分離する網構造となっている。この気化残留物選別装置はスクリュー等から成る気化残留物搬送装置８に連通するように設けられている。９は気化残留物排出口である。１０はバーナで、このバーナ１０は内筒３の一端側に設けられ第１の処理物燃焼室４と第２の処理物燃焼室６に燃焼熱を均等に供給するようになっている。１１は排ガス排出装置で、この排ガス排出装置１１は投入フィーダ１側に設けられ、１２は排ガス燃焼送入口である。
【実用例３】
【００１４】  １３は、バーナから成る排ガス燃焼室で、この排ガス燃焼室１３は排ガス燃焼送入口１２に連通して設けられ、この排ガス燃焼室１３で燃焼される。
【実施例４】
【００１５】  気化残留物は、気化残留物選別装置７により炉底部より排出され回転炉に付着された振動ふるいで流動砂を炉内に残し、残渣だけが排出される。
【実施例５】
【００１６】  次に、本実施の形態の作用を説明する。【００１７】  先ず、液状の汚泥、液状の農業用残渣、液状の畜産糞尿、液状の有機物等の処理対象物が直接投入フィーダ１に連続的に投入される。次に、投入フィーダ１に投入された処理対象物がスクリュー等から成る第１の搬送手段２により第１の処理物気化室４内に送られる。一方、バーナ１０が点火され、第一の処理物気化室４内および第２の処理物気化室６が二重構造になっているため、燃焼熱が同時に均等に供給されると同時に炉内で流動状態となって加熱された砂が高温を保持した状態で液状化した処理物と撹拌、拡散する。そして第１の処理物気化室４内の処理対象物が気化され、序々に固形化されて減容、減量化されていく。そして、序々に固形化された処理対象物が図示しない搬送装置により第２の処理物気化室６に送られ、ここでさらに加熱されて気化が促進される。そして、固形化された気化残留物は気化残留物選別装置７から第２の搬送手段８を通り気化残留物排出口９から装置外に排出される。【００１８】  そして、排出された処理対象物の処理に際しては熱伝導、気化効率がよいため、短時間で減容化、減量化され、処分費が低減されるとともに最終処分地延命が図られる。また、第１の処理物気化室４と第２の処理物気化室６が二重構造になっているため装置が従来の半分程度になり経済効果も向上する。また、排出された処理対象物は土壌改良剤、融雪材、水分調整剤、脱水助剤等になって有価物となってリサイクルされる。【００１９】  また、この処理対象物の気化に伴って発生した排ガスは、排ガス排出装置１１より排ガス燃焼送入口１２へ送入され、排ガス燃焼室１３に送られて燃焼される。ここで、、排ガスを燃焼させることによりダイオキシンをなくすことができ大気汚染することがなくなる。また、誘引ファン１５は排ガス燃焼室１３で燃焼した後のガスを誘引し、大気に放出させる。
【図面の簡単な説明】
【００１６】
【図１】  本発明の一実施形態を示す回転式汚水気化装置の構成図である。
【図２】  従来の実施形態を示す回転式汚水気化装置の構成図である。
【符号の説明】
１    投入フィーダ
２    第１の搬送手段
３    内筒
４    第１の処理物気化室
５    外筒
６    第２の処理物気化室
７    気化残留物選別装置
８    気化残留物搬送装置
９    気化残留物排出口
１０    バーナ
１１    排ガス排出装置
１２    排ガス燃焼送入口
１３    排ガス燃焼室
１４    集塵装置
１５    誘引ファン
【図１】
2005125294.tif 000003
【図２】
2005125294.tif 000004